(57)【要約】【課題】端材生じさせずにしかもきれいな挽き肌に加工できる木工用丸鋸を提供する。【解決手段】仕上げ挽き用の本丸鋸の側面に、本丸鋸の刃部よりも内径に位置しかつ本丸鋸の刃部と回転方向で位相をずらしたチップブレーク用の刃部を有するリング状鋸を重合固定した。【選択図】図１
0003097476.tif 000002
【実用新案登録請求の範囲】
【請求項１】
仕上げ挽き用の本丸鋸の側面に、本丸鋸の刃部よりも内径に位置しかつ本丸鋸の刃部と回転方向で位相をずらしたチップブレーク用の刃部を有するリング状鋸を重合固定したことを特徴とする木工用丸鋸。
【請求項２】
仕上げ挽き用本丸鋸の地金部分に雌ねじ孔が配され、リング状鋸の地金部分を貫通したビスが前記雌ねじ孔にねじ込まれることで固定されている請求項１に記載の木工用丸鋸。
【請求項３】
リング状鋸は、円周方向で複数に分割されているものを含んでいる請求項１に記載の木工用丸鋸。
【考案の詳細な説明】
【０００１】
【考案の属する技術分野】
本考案は角材の仕上げないし修正に好適な木工用丸鋸に関する。
【０００２】
【従来の技術】
柱材、桁材、梁材などの木工製品を製造する場合、原木を角断面形状に荒挽し、それを乾燥した後、規定寸法に仕上げ挽きする工程がとられる。
かかる工程は、通常、仕上げ挽き用（修正挽き用）丸鋸で行なわれるが、従来のこの種の仕上げ挽き用丸鋸としては、たとえば、直径６００〜６７０ｍｍで、切刃が、すくい角：３０°、外径逃げ角：１０°、横逃げ角：３°、あさり角：１°といった仕様のものが用いられていた。
【０００３】
しかし、このような仕上げ挽き用丸鋸を使用して切削を行なった場合、厚さが２〜３ｍｍの端材が全長に渡って発生する。こうした端材は他に木工製品としての使い道がなく、焼却も規制される傾向にあるので、対応に苦慮していた。
【０００４】
【考案が解決しようとする課題】
本考案は前記のような問題点を解消するためになされたもので、その目的とするところは、端材生じさせずにしかもきれいな挽き肌に加工できる木工用丸鋸を提供することにある。
【０００５】
【課題を解決するための手段】
上記目的を達成するため本考案は、仕上げ挽き用の本丸鋸の側面に、本丸鋸の刃部よりも内径に位置しかつ本丸鋸の刃部と回転方向で位相をずらしたチップブレーク用の刃部を有するリング状鋸を重合固定したことを特徴としている。
【０００６】
前記リング状鋸は、完全に環状である場合のほか、円周方向で複数に分割されているものを含んでいる。
【０００７】
【考案の実施の形態】
以下添付図面を参照して本考案の実施例を説明する。
図１ないし図３は本考案による木工用丸鋸の第１実施例を示している。
１は外径が６００ｍｍ以上である仕上げ挽き用の本丸鋸（本刃）であり、中心に軸孔３０を有する円盤状台金３の外縁に定間隔で形成した追い波状部３１に超硬合金などからなるチップを固着して刃部３２としている。そして、円盤状台金３には、円周上に腰入れ部３００，３００’が配されている、これら腰入れ部３００，３００’は、ハンマーあるいは油圧ローラなどの治具で圧力を加えることで形成される。
【０００８】
前記本丸鋸１の刃部３２は、所要のすくい角αと、外径逃げ角γと、横逃げ角δおよびアサリ角ηとを有し、アサリ面３２０と外径面３２１との境界をなす隅部分には、曲率０．２〜０．５ｒ程度の落し面３２２が形成されている。
【０００９】
２は前記本丸鋸１の側面に取り付けられたリング状鋸であり、円弧帯状地金４の外縁に定間隔で形成した追い波状部４１に超硬合金などからなるチップを固着してチップブレーク用の刃部４２としている。円弧帯状地金４と本丸鋸１の地金材質と硬さは同等であることが好ましい。リング状鋸２の刃部４２は、所要のすくい角αと、外径逃げ角γと、横逃げ角δおよびアサリ角η’とを有し、各角の仕様は本丸鋸１の刃部３２と同等でかまわないが、アサリ面と外径面との境界をなす隅部分に落し面は設けられない。
【００１０】
リング状鋸２の刃部４２は本丸鋸１の刃部３２と同じ間隔で設けられているが、本丸鋸１の刃部３２よりも内径側でしかも刃部３２よりも回転方向で後方に存するように円周方向で位相をずらして取付けられている。
この例ではリング状鋸２は完全なリングをなしているため、外径を本丸鋸１の０．９０〜０．９７の範囲としている。
【００１１】
リング状鋸２はロウ付けなどによって本丸鋸１に固着されていてもよいが、目立てを容易にするとともに、交換を別々に行なえるようにするため着脱可能に取付けている。
この例では、本丸鋸１の円盤状台金３に多数の雌ねじ孔３４を円周方向で等間隔に設け、リング状鋸２の円弧帯状地金４には同じ間隔で座付き孔４４を配し、座付き孔４４を介してビス６を雌ねじ孔３４にねじ込むことで固定一体化を得ている。
【００１２】
図４は本考案の第２実施例を示しており、リング状鋸２が全周に渡って一体ではなく、円周上で分割された複数の弧状帯部体２ａからなっており、隣接する弧状帯部体２ａ、２ａの間は適度な空隙がある。今考案の「リング状」とはこの態様も含んでいる。図示する例は６分割であるが、２以上であれば限定はない。
【００１３】
【実施例の作用】
図５は本考案の木工用丸鋸を使用した製材設備を例示しており、搬入盤台７の下流にクランプ付き送材装置８を設け、これの送り方向に設けた移動路１０の入口に門型状フレーム６ａを設け、ここに本考案の木工用丸鋸Ａ，Ａをアクチュエータ９０，９０で間隔調整自在にしたツイン挽き装置９を配している。
【００１４】
木工用丸鋸Ａを駆動軸によって高速回転すれば、本丸鋸１とリング状鋸２は一体回転するので、乾燥済み角材１２を木工用丸鋸Ａに接触移動させると、本丸鋸１の刃部群によって乾燥済み角材１２の側面１２０から所要位置が切削される。通常では、本丸鋸１の切断により、製品となるべき部分の側方に２〜３ｍｍの厚さの端材が発生するが、本考案では、リング状鋸２の刃部４２が、本丸鋸１の各刃部３２よりも内径側にあり、かつ刃部３２よりも回転方向で後方に存するように円周方向で位相をずらして位置しているので、図６のように、本丸鋸１の各刃部３２の進出にともなって発生した端材部分１２’の端面をリング状鋸２の刃部４２が切削する。このため自動的に粉砕されて切粉（チップ）１３となり、端材が発生しない。
【００１５】
本考案者は、本丸鋸１にこれと同じように円盤状地金を使用した径小のチップブレーク用鋸を重合固定した複合丸鋸（以下比較丸鋸という）も試みた。
しかし、この比較丸鋸では、重量が重くなるだけでなく、丸鋸が備えている腰３００，３００’といわれる部分による制振作用が働かず、かえって共鳴現象により横振れ振動が大きくなり、この振動が刃部３２を通して対象材に伝わるため、ナイフマークが強く出て製品の挽き肌が悪化した。
【００１６】
これに対して、本考案は、リング状鋸２を使用し、これを本丸鋸１の縁部付近にだけ固定している。このため、本丸鋸１が備えている腰といわれる部分が自由に働き、良好な制振作用が得られるので、高速回転切削時の振動発生が少なく、ナイフマークは薄くでるだけで、製品の挽き肌がプレーナー挽き並みの良好なものとなる。
【００１７】
具体例
材質がＳＫＳの地金に超硬合金チップの切刃（幅６．２ｍｍ、すくい角：３０°、外径逃げ角：１０°、横逃げ角：３°、アサリ角：１°）をつけた外径６６０ｍｍの仕上げ挽き用本丸鋸の側面に、材質がＳＫＳの地金に超硬合金チップの切刃（幅３．８ｍｍ、すくい角：３０°、外径逃げ角：１０°、横逃げ角：３°、アサリ角：１°）をつけた内径５３０ｍｍ、外径６３０ｍｍのリング状鋸を重ね、円周上で１８箇所、ビス止めした。
【００１８】
この複合丸鋸を、１９１５ｒｐｍで回転させ、乾燥済の角材（材質：桧、断面寸法：１３５×１３５ｍｍ）を断面寸法：１２０×１２０ｍｍに仕上げ挽きした。その結果、外周歪は０．０５以内、横振れは０．０８以内に収まっており、端材は発生せず、すべて小さなチップとなり、製品の表面粗さの測定結果は良好であった。
比較のため、リング状鋸に代えて本丸鋸の側面に、外径６３０ｍｍのチップブレーク用鋸を重ね、円周上で１８箇所ビス止めした比較丸鋸を製作し、同じ条件で仕上げ挽きした。
その結果、外周歪は０．０５を大きく超え、横振れは０．０８を大きく超え、製品の表面粗さは強くナイフマークが現われ、芳しくなかった。
【００１９】
【考案の効果】
以上説明した本考案の請求項１によるときには、仕上げ挽き用の本丸鋸１が切り込むのと併行して、本丸鋸の側面に重合固定したリング状鋸２の刃部４２が端材となるべき部分を自動的に破砕するので、端材を生じさせずにすみ、しかも、チップ化のための刃部４２を有する鋸がリング状をなしているので、本丸鋸１が備えている腰といわれる部分３００，３００’が自由かつ有効に働いて良好な制振作用が得られるので、高速回転切削時の振動発生が少なく、チップの大きさもバラツキが少なく、製品の挽き肌をきれいなものにできるというすぐれた効果が得られる。
【００２０】
請求項２によれば、本丸鋸１とリング状鋸２が確実に一体化されるとともに、要時には分離できるので、目立てを支障なく行なえるというすぐれた効果が得られる。
請求項３によれば、リング状鋸２が周方向で分割されているので、取扱いが容易であるとともに、刃部の数箇所が破損したような場合にもその部分の円弧状鋸を交換すればよいのでコストを安くできるなどのすぐれた効果が得られる。
【図面の簡単な説明】
【図１】本考案による木工用丸鋸の第１実施例を示す部分的背面図である。
【図２】（ａ）は図１のＸ−Ｘ線に沿う断面図、（ｂ）はその拡大図である。
【図３】図１の部分的平面図である。
【図４】本考案の第２実施例を示す部分的背面図である。
【図５】本考案による木工用丸鋸の使用例を示す平面図である。
【図６】本考案による木工用丸鋸の作用を示す模式図である。
【符号の説明】
１　　　仕上げ挽き用の本丸鋸
２　　　リング状鋸
３、４　地金
３２　　刃部
３４　　雌ねじ孔
４２　　刃部
【図１】
0003097476.tif 000003
【図２】
0003097476.tif 000004
【図３】
0003097476.tif 000005
【図４】
0003097476.tif 000006
【図５】
0003097476.tif 000007
【図６】
0003097476.tif 000008
【手続補正書】
【提出日】平成15年5月26日(2003.5.26)
【手続補正１】
【補正対象書類名】明細書
【補正対象項目名】００１１
【補正方法】変更
【補正の内容】
【００１１】
リング状鋸２はロウ付けなどによって本丸鋸１に固着されていてもよいが、目立てを容易にするとともに、交換を別々に行なえるようにするため着脱可能に取付けている。
この例では、本丸鋸１の円盤状台金３に多数の雌ねじ孔３４を円周方向で等間隔に設け、リング状鋸２の円弧帯状地金４には同じ間隔で座付き孔４４を配し、座付き孔４４を介してビス５を雌ねじ孔３４にねじ込むことで固定一体化を得ている。